(57)【要約】      （修正有）【課題】表面に所望の絵又は画像を有するとともに、安価で製造コストを低く抑えたペット用骨壺を提供する。【解決手段】愛玩用動物などのペットの骨を収容するペット用骨壺１００であって、骨壺本体１０は、表面１０ａに画像Ｐ又は文字を有し、この画像又は文字は、シート本体に画像又は文字を印刷する工程を経て作製された転写シートから転写される。【選択図】図１
0003207579.tif 000002
【実用新案登録請求の範囲】
【請求項１】
愛玩用動物などのペットの骨を収容するペット用骨壺であって、
前記ペット用骨壺の骨壺本体は、表面に画像又は文字を有し、
前記画像又は前記文字は、シート本体に画像又は文字を印刷する工程を経て作製された転写シートから転写されることを特徴とするペット用骨壺。
【請求項２】
請求項１記載のペット用骨壺であって、
プリンタを用いて、前記シート本体の表面に前記画像又は前記文字を印刷して、前記転写シートを出力させる工程と、
前記転写シートに接着剤を塗布する工程と、
前記接着剤が塗布された前記転写シートを前記骨壺本体の表面に配置させる工程と、
前記骨壺本体の表面に配置された前記転写シートに対して液体を塗布し、前記骨壺本体から前記転写シートを剥離して、前記骨壺本体の表面に、前記画像又は前記文字を転写させる工程と、
前記画像又は前記文字が転写された前記骨壺本体に対してマイクロ波を照射して、前記画像又は前記文字を前記骨壺本体の表面に定着させる工程と、
を含む工程により製造されることを特徴とするペット用骨壺。
【請求項３】
請求項２記載のペット用骨壺であって、
前記骨壺本体の表面に配置された前記転写シートに対して塗布される前記液体は、水又は石油系溶剤であり、
前記画像又は前記文字が転写された前記骨壺本体を電子レンジに入れて、１０分間、前記骨壺本体に対してマイクロ波を照射することにより、前記骨壺本体の表面に前記画像又は前記文字を定着させることを特徴とするペット用骨壺。
【請求項４】
請求項１〜請求項３のいずれか１項に記載のペット用骨壺であって、
前記骨壺本体は、表面に前記画像を有し、
前記画像は、前記ペットが生きていた頃の前記ペットの姿を撮影した写真、又は前記姿を描いた絵であることを特徴とするペット用骨壺。
【請求項５】
請求項１〜請求項４のいずれか１項に記載のペット用骨壺であって、
前記骨壺本体は、上方に開口部を備えかつ前記骨を収容する容器本体を有し、
前記容器本体の側面には、前記ペットの前記画像又は前記文字が転写されることを特徴とするペット用骨壺。
【考案の詳細な説明】
【技術分野】
【０００１】
本考案は、例えば愛玩用動物などのペットの骨を収容するためのペット用骨壺に関する。
【背景技術】
【０００２】
ペットブームの昨今、人間の死亡の際に使用される骨壺と同様に、ペットの死の際にも骨壺を使用する人が増えている。その際、骨壺の表面に、ペットの絵や写真を貼付することで、より一層ペットを偲ぶことができる。
【０００３】
このような背景から、骨壺の表面にペットの写真が印刷又は転写されたペット用骨壺に関する発明が提案されている（特許文献１参照）。
【先行技術文献】
【特許文献】
【０００４】
【特許文献１】特開平８−２６６５７８号公報
【考案の概要】
【考案が解決しようとする課題】
【０００５】
このようなペット用骨壺を採用すれば、ペット用納骨所内の限られたスペースにおいて、ペット用骨壺の脇に、別途、ペットの写真を納めた額縁等を置く必要がなくなるという利点がある。しかしながら、このようなペット用骨壺は、高価であることが多い。
【０００６】
以上のような事情に鑑み、本考案では、上記のような構成のペット用骨壺であって、安価で提供することができるように、製造コストを低く抑えることが可能なペット用骨壺を提供することを目的とする。
【課題を解決するための手段】
【０００７】
本考案では、愛玩用動物などのペットの骨を収容するペット用骨壺であって、ペット用骨壺の骨壺本体は、表面に画像又は文字を有し、この骨壺本体の画像又は文字は、シート本体に画像又は文字を印刷する工程を経て作製された転写シートから転写されることを特徴とする。
【０００８】
また、本考案では、前述したペット用骨壺であって、プリンタを用いて、シート本体の表面に画像又は文字を印刷して、転写シートを出力させる工程と、転写シートに接着剤を塗布する工程と、接着剤が塗布された転写シートを骨壺本体の表面に配置させる工程と、骨壺本体の表面に配置された転写シートに対して液体を塗布し、骨壺本体から転写シートを剥離し、骨壺本体の表面に、画像又は文字を転写させる工程と、画像又は文字が転写された骨壺本体に対してマイクロ波を照射して、画像又は文字を骨壺本体の表面に定着させる工程と、を含む工程により製造されることを特徴とする。
【０００９】
また、本考案では、前述したペット用骨壺であって、骨壺本体の表面に配置された転写シートに対して塗布される液体は、水又は石油系溶剤であり、画像又は文字が転写された骨壺本体を電子レンジに入れて、１０分間、骨壺本体に対してマイクロ波を照射することにより、骨壺本体の表面に画像又は文字を定着させることを特徴とする。
【００１０】
また、本考案では、上述したペット用骨壺であって、骨壺本体の表面には、画像を有し、画像は、ペットが生きていた頃のペットの姿を撮影した写真、又は上記姿を描いた絵であることを特徴とする。
【００１１】
さらに、本考案では、上述したペット用骨壺であって、骨壺本体は、上方に開口部を備えかつ骨を収容する容器本体を有し、容器本体の側面には、ペットの画像又は文字が転写されることを特徴とする。
【考案の効果】
【００１２】
本考案によれば、ペット用骨壺の骨壺本体の表面の画像又は文字は、当該画像又は文字が印刷される工程を経て作製された転写シートを用いて転写することにより、骨壺本体の表面に配される。これにより、これにより、所望の写真や絵といった画像や文字を有するペット用骨壺を容易に製造することができるとともに、このようなペット用骨壺の製造コストを低く抑えることができ、ひいては、このようなペット用骨壺を安価で提供することができる。
【図面の簡単な説明】
【００１３】
【図１】実施形態に係るペット用骨壺の一例を示す斜視図である。
【図２】図１のペット用骨壺の要部断面図である。
【図３】図１のペット用骨壺の製造工程の一例を説明するための図である。
【図４】図１のペット用骨壺に写真を転写する際に使用される転写シートの一例を示す平面図である。
【図５】転写シートの変形例を示す平面図である。
【考案を実施するための形態】
【００１４】
以下、本考案の実施形態について図面を参照しながら説明する。ただし、本考案は以下に説明する実施形態に限定されるものではない。また、図面においては、一部分を大きく又は強調して記載するなど適宜縮尺を変更して表現した部分を含んでいる。
【００１５】
図１は、本考案の実施形態に係るペット用骨壺１００の一例を示す斜視図である。図２は、図１のペット用骨壺１００の骨壺本体１０を示す断面図である。ペット用骨壺１００は、愛玩用動物などのペットの骨が収容される骨壺である。ペット用骨壺１００は、骨壺本体１０を有している。骨壺本体１０は、表面１０ａにおいて、ペット（例えば猫）の画像Ｐを有している。このペットの画像Ｐは、写真画像Ｐ１である。
【００１６】
骨壺本体１０は、ペットの骨を収容可能な中空状に形成されている。骨壺本体１０は、例えば、図２に示すように、容器本体２０と蓋体３０とから構成されている。
【００１７】
容器本体２０としては、例えば、水平断面が円環状であって、上方に開口部２１を有する有底筒状の陶器製の容器が用いられる。容器本体２０には、ペットの骨を収容するための収容スペース（凹状の部分）２３が設けられている。この収容スペース２３の大きさは、骨壺本体１０に収容される骨の外形及び大きさに応じて適宜設定されてもよい。
【００１８】
蓋体３０は、容器本体２０の開口部２１を閉じる蓋であり、容器本体２０の上端側に配置される。蓋体３０としては、例えば、容器本体２０の上端を覆うように配置されるものが用いられ、容器本体２０と同一の陶器製のものが用いられる。
【００１９】
なお、骨壺本体１０の構成、形状、大きさ、及び材質については任意である。例えば、骨壺本体１０は、容器本体２０と蓋体３０とが一体的となった構成でもよく、容器本体２０の上端に蝶番等により蓋体３０が連結されて容器本体２０の開口部２１を開閉可能な構成としてもよい。また、骨壺本体１０は、樹脂製や、金属製、ガラス製、ボーンチャイナなどの磁器製、などであってもよい。また、容器本体２０と蓋体３０とは、互いに同一の材質であってもよいし、互いに異なる材質であってもよい。また、容器本体２０としては、水平断面が矩形状や多角形状のものが用いられてもよい。また、骨壺本体１０は、ペットの外形を模した形状としてもよい。
【００２０】
図１に示すように、容器本体２０は、側面２２において、ペットの写真画像Ｐ１を有している。この写真画像Ｐ１は、例えば、ペットが生きていた頃の当該ペットの姿を写真撮影して作製されたものである。図１に示す写真画像Ｐ１は、ペットである猫の全体（全身）を正面から撮影したものであるが、写真画像Ｐ１としては、例えばペットの顔のみなど、ペットの一部を撮影したものであってもよいし、ペットを例えば上方や斜め方向から撮影したものであってもよい。このように、ペット用骨壺１００によれば、表面１０ａにおいてペットの写真画像Ｐ１を有することにより、ペットを偲ぶことができる。
【００２１】
ペット用骨壺１００のペットの写真画像Ｐ１は、後述するように、転写シート４０（図３参照）を用いて転写される。なお、ペット用骨壺１００においてペットの写真画像Ｐ１が配置される位置については、容器本体２０の側面２２に限定されず、骨壺本体１０の表面１０ａであればよく、例えば、蓋体３０の表面３１であってもよい。
【００２２】
次に、ペット用骨壺１００の製造工程の一例について、図面を参照しながら説明する。図３は、ペット用骨壺１００の製造工程の一例を示す図である。図４は、ペット用骨壺１００にペットの写真画像Ｐ１を転写する際に使用される転写シート４０の一例を示す平面図である。先ず、図３に示すように、骨壺本体１０と転写シート４０とが用意される。
【００２３】
転写シート４０は、ペットの写真画像Ｐ１を骨壺本体１０の表面１０ａに転写させるために使用される。転写シート４０は、例えば、図４に示すように、矩形状に形成されたシート本体４１と、ペットの写真画像Ｐ１とを有している。シート本体４１は、紙であるが、紙であることに限定されず、例えば、紙をフィルムで被覆した構成のものや、フィルムなどであってもよい。転写シート４０の写真画像Ｐ１は、ペット用骨壺１００に配されるペットの写真画像Ｐ１と同一である。転写シート４０において、ペットの写真画像Ｐ１は、シート本体４１の表面に印刷されている。このような転写シート４０は、例えば、プリンタを用いて、シート本体４１の表面にペットの写真画像Ｐ１を印刷して、これを出力させる工程により作製される。なお、ここでいう印刷とは、例えば、シート本体４１にインキにより写真画像Ｐ１を再現することを意味する。
【００２４】
この際、ペット用骨壺１００に配されるペットの写真画像Ｐ１の鏡像を、シート本体４１の裏面（後述する転写工程の際に、骨壺本体１０の表面１０ａに密着する側の表面）４２に印刷してもよい。この印刷工程は、例えば、ペットの写真画像Ｐ１のデータに基づいて印刷が実行されるプリンタを用いて行われてもよい。
【００２５】
また、シート本体４１が紙ではなくフィルムである場合には、転写シート４０は、次の工程により作製されてもよい。即ち、先ず、紙製シートを用意する。この紙製シートとしては、ペットの写真画像Ｐ１が印刷可能な材質かつ大きさのものが用意される。次いで、この紙製シートの表面にペットの写真画像Ｐ１を印刷する。そして、この紙製シートの表面に、転写液を塗布し、転写液を乾燥させる。これにより、紙製シートの表面には、フィルム状のシート本体４１が形成される。続いて、一体となった状態の紙製シート及びシート本体４１を、水やぬるま湯などの液中に浸して、柔らかくなった紙製シートを長時間かけて擦り取る。その後、残存したシート本体４１（フィルム）を回収することにより、写真画像Ｐ１を有するフィルムの転写シート４０が作製される。
【００２６】
また、このようなフィルム状の転写シート４０を用意する工程において用いられる転写液としては、例えば、酢酸ビニルエマルション組成物や被膜形成用ポリマー組成物などが用いられてもよく、被膜形成用ポリマー組成物としては、ビニルアセテートのホモポリマー若しくはその部分加水分解物、又はビニルアセテートとアクリル酸エステル、アクリル酸アミド、アクリル酸、メタクリル酸、メタクリル酸エステル、マレイン酸、マレイン酸無水物、及びフマル酸から選ばれる一種又は二種以上のモノマーとのコポリマー若しくはその部分加水分解物を含むポリマー成分、及び、樹液、果実液、蜂蜜、糖類の成分から構成される群から選ばれる一種又は二種以上を含む成分を含むものが用いられてもよい。
【００２７】
この場合、上記した樹液成分としては、松、白樺、楓、メイプル、砂糖キビ、甜菜、から得られるものを一種又は二種以上含むものが用いられてもよい。また、上記した果実液成分としては、ブドウ、モモ、柑橘類、リンゴ、バナナ、スイカ、メロン、チェリー、ナシ、パイナップル、ヤシ、パパイヤ、マンゴー、ドリアンから得られるものを一種または二種以上含むものが用いられてもよい。また、上記した蜂蜜の成分としては、レンゲ、トチ、アカシアから得られるものを一種または二種以上含むものが用いられてもよい。また、上記した糖類成分としては、キシリトール、ショ糖、果糖、グルコース、キトサン、キチン、マンナン、グアーガムの一種または二種以上を含むものが用いられてもよい。
【００２８】
なお、転写シート４０は、上記構成に限定されず、例えばペットの写真画像Ｐ１を骨壺本体１０の表面１０ａに転写させる機能を備えるものであればよく、その構成は任意である。また、転写シート４０の形状、大きさ、及び材質等についても任意である。但し、転写シート４０は、骨壺本体１０の表面１０ａと密着した状態で配置できるように柔軟性を備える材料から形成されることが好ましい。転写シート４０の形状、大きさ、及び材質は、骨壺本体１０の表面１０ａの形状（骨壺本体１０の外形）及び大きさに応じて適宜設定されてもよい。
【００２９】
骨壺本体１０及び転写シート４０が用意された後、転写シート４０には、裏面４２側からペットの写真画像Ｐ１に重ねるように、例えば白色の箔を積層させて裏打ちを施してもよい。
【００３０】
続いて、転写シート４０に接着剤を塗布する。接着剤は、例えば転写シートの裏面４２に塗布される。この際、接着剤は、転写シート４０の裏面４２においてペットの写真画像Ｐ１の領域を含む領域に塗布される。接着剤の塗布は、裏面４２の全面に接着剤がまんべんなく行き渡るように刷毛やスポンジなどを用いて行ってもよい。接着剤としては、例えば、加熱又は加圧されることにより粘着性を生じる性質を有するものや、転写液などの液体を付与することにより粘着性を生じる性質を有するものが用いられてもよい。
【００３１】
なお、このように転写シート４０に接着剤を塗布する工程に代えて、容器本体２０の側面２２において転写シート４０が配置される領域に接着剤を塗布してもよい。
【００３２】
転写シート４０に接着剤を塗布した後、接着剤を乾燥させてもよい。この場合、接着剤を、自然乾燥により乾かしてもよいし、ドライヤーなどを用いて接着剤に対して温風を当てることや、加熱や除湿することにより乾かしてもよい。また、その後、例えば、転写シート４０の裏面４２を水拭きすることにより、裏面４２においてペットの写真画像Ｐ１の領域以外の領域に配置された接着剤を除去し、ペットの写真画像Ｐ１の領域の接着剤のみを残存させるようにしてもよい。
【００３３】
続いて、接着剤が塗布された転写シート４０を、容器本体２０の側面２２の所定位置に配置し固定する。この際、転写シート４０は、裏面４２と容器本体２０の側面２２とが互いに密着するように容器本体２０上に配置される。また、転写シート４０は、容器本体２の表面において写真画像Ｐ１を転写したい所望の位置に配置され仮固定される。この状態で、転写シート４０は、手で転写シート４０を容器本体２０に向けて押圧し続けることにより仮固定されてもよいし、プロセッサなどを用いて仮固定されてもよい。
【００３４】
続いて、容器本体２０の側面２２において仮固定された状態の転写シート４０に、水又は石油系溶剤を塗布する。この際、石油系溶剤としては、例えば、工業用ガソリン、ソルベントが用いられてもよい。この場合、工業用ガソリンとしては、例えば、ベンジン、ゴム揮発油、大豆揮発油であってもよい。また、ソルベントとしては、例えば、ミネラルスピリット、クリーニングソルベントであってもよい。なお、この工程において転写シート４０に塗布されるものとしては、水又は石油系溶剤に限定されず、これら水及び石油系溶剤以外の液体であってもよい。例えば、接着剤として、転写液が付与されることにより粘着性が生じる性質を有するものが用いられている場合、転写シート４０に対して転写液が塗布されてもよい。
【００３５】
その後、容器本体２０から転写シート４０を剥離する。すると、写真画像Ｐ１は、転写シート４０から容器本体２０の側面２２に転写される。このような転写工程により、容器本体２０の側面２２には、写真画像Ｐ１が形成される。
【００３６】
続いて、このように転写された写真画像Ｐ１を有する骨壺本体１０に対してマイクロ波を照射させる。この工程は、例えば、骨壺本体１０を電子レンジに入れることにより行ってもよい。これにより、容器本体２０の側面２２において写真画像Ｐ１を定着させる。この工程において、骨壺本体１０に対してマイクロ波を照射する時間としては、例えば１０分間程度である。
【００３７】
以上の工程により、容器本体２０の側面２２にはペットの写真画像Ｐ１が形成され、ペット用骨壺１００が完成する。
【００３８】
なお、転写シート４０から容器本体２０の表面にペットの写真画像Ｐ１を転写させる工程については、骨壺本体１０の表面１０ａに配置され仮固定された転写シート４０に対して、水、石油溶剤、又は転写液といった液体を塗布して行う手法を用いる場合を説明したが、かかる手法を用いることに限定されず、種々の転写手法を用いて行うことが可能である。例えば、上記した転写工程において、転写シート４０に塗布される接着剤として、加熱されることにより粘着性を生じる性質を有するものが用いられている場合、上記の転写工程は、骨壺本体１０の表面１０ａに配置され仮固定された状態の転写シート４０に対して、液体を塗布することに代えて、例えばアイロンやドライヤーなどを用いて転写シート４０を加熱することにより写真画像Ｐ１を転写させる手法が採用されてもよい。また、接着剤として、加圧されることにより粘着性を生じる性質を有するものが用いられている場合、上記工程は、骨壺本体１０の表面１０ａに配置され仮固定された転写シート４０を押圧することにより写真画像Ｐ１を転写させる手法が採用されてもよい。また、上記転写工程には、液転写に代えて、転写シート４０を加熱して画像Ｐを骨壺本体１０に絵付けする熱転写や、除光液を用いて行われるトナー転写、転写シート４０に昇華型インクを用いて画像Ｐを印刷して転写シート４０に熱を加えてインクを気化させて行う昇華転写、水面に転写シート４０を浮かべて骨壺本体１０を上から沈めて写真画像Ｐ１を転写する水圧転写、などの転写手法が用いられてもよく、転写シート４０及び骨壺本体１０の材質や強度、作業コストなどに応じて、適切な転写手法を選択することができる。
【００３９】
また、骨壺本体１０の表面１０ａにおいて、ペットの写真画像Ｐ１が、容器本体２０の側面２２以外の面（例えば、蓋体３０の表面３１）に形成されたペット用骨壺１００についても、上記した製造工程と同様の工程で製造される。すなわち、この場合、骨壺本体１０の表面１０ａの所定箇所（例えば、蓋体３０の表面３１）には、上記した転写工程と同様の工程により転写シート４０からペットの写真画像Ｐ１が転写される。
【００４０】
以上説明したペット用骨壺１００によれば、骨壺本体１０の表面１０ａにおいてペットの写真画像Ｐ１を有するが、このような写真画像Ｐ１は、写真が印刷された転写シート４０を用いて転写させるだけで容易に形成される。これにより、ペット用骨壺１００の製造コストを低く抑えることができ、ひいては、ペット用骨壺１００を安価で提供することができる。
【００４１】
また、上記したペット用骨壺１００の製造工程における印刷工程を、画像データに基づいて印刷が実行されるプリンタを用いて行う場合には、ペット用骨壺１００の表面に配したい所望の写真画像Ｐ１について、予めその写真画像Ｐ１の電子データを電子記憶媒体などに記憶させて保存しておくことで、上記した製造工程により、いつでも写真画像Ｐ１を有するペット用骨壺を容易に製作することができる。
【００４２】
以上、本考案の実施形態について説明したが、本考案は、上記した説明に限定されるものではなく、本考案の要旨を逸脱しない範囲において種々の変更が可能である。
【００４３】
例えば、上述したペット用骨壺１００では、骨壺本体１０の表面１０ａにはペットの写真画像Ｐ１が配されているが、骨壺本体１０の表面１０ａに配される画像Ｐとしては、このような写真画像Ｐ１に代えて、絵の画像Ｐ２（図５（ａ）参照）であってもよい。すなわち、ペット用骨壺１００としては、骨壺本体１０の表面１０ａに、ペットが生きていた頃の当該ペットの姿を描いた絵の画像Ｐ２を配したものであってもよい。この場合、ペットの絵の画像Ｐ２としては、ペットの全身を描いたものであってもよいし、例えばペットの顔のみなど、ペットの一部を描いたものであってもよいし、ペットを例えば正面や斜め方向などから描いたものであってもよい。また、この場合、ペットの絵の画像Ｐ２としては、ペットを描いたイラストや漫画、似顔絵などの画像であってもよい。
【００４４】
このようなペットの絵の画像Ｐ２を有するペット用骨壺は、上記したペットの写真画像Ｐ１を有するペット用骨壺１００の製造工程と同様の工程で製造され、ペットの絵の画像Ｐ２が印刷された転写シートを用いて骨壺本体１０の表面１０ａに当該絵の画像Ｐ２を転写して製造される。図５は、転写シート４０の変形例を示す平面図である。図５（ａ）に示すように、変形例にかかる転写シート２４０の表面には、ペットの写真画像Ｐ１に代えて、ペットの絵（図５（ａ）では、犬のイラスト）の画像Ｐ２が配されている。ペットの絵の画像Ｐ２を有するペット用骨壺は、当該絵の画像Ｐ２が印刷された転写シート２４０を用いて骨壺本体１０の表面１０ａに当該絵の画像Ｐ２を転写して製造される。
【００４５】
また、転写工程の際に用いられる転写シート４０としては、裏面（転写する工程の際に、骨壺本体１０に密着する側の表面）においてペットの絵の画像Ｐ２の鏡像が印刷されたものが用いられてもよい。また、転写シート４０としては、先ず、ペットの絵の画像Ｐ２が印刷可能な紙製シートを用意し、次いで、この紙製シートの表面に、ペットの絵の画像Ｐ２を印刷し、転写液を塗布して乾燥させ、これを液体に浸して紙製シート（紙）を除去する、といった工程により作製されたフィルム製シートが用いられてもよい。
【００４６】
また、本発明のペット用骨壺の骨壺本体１０の表面１０ａに配される画像Ｐの被写体又は対象物としては、ペットに限定されない。すなわち、画像Ｐとしては、例えば、風景や、模様、記号、図形、ペット以外の動物、人物など、ペット以外のものが撮影されたものあるいは描かれたものであってもよい。また、画像Ｐとしては、アートを模写したものであってもよい。また、画像Ｐとしては、ペットに加えて、風景や、模様、記号、図形、ペット以外の動物、人物などが表されたものであってもよい。この場合、画像Ｐとしては、ペットと当該ペットの飼い主の双方を撮影したものあるいは描いたものであってもよい。
【００４７】
また、本発明のペット用骨壺は、骨壺本体１０の表面１０ａにおいて、画像Ｐに代えて文字Ｃ（図５（ｂ）参照）を有するものであってもよい。この場合、文字Ｃとしては、ローマ字や、ギリシャ文字、ひらがな、カタカナ、漢字、数字などであってもよく、ペットの名前を配したものであってもよい。
【００４８】
また、本発明のペット用骨壺の骨壺本体１０の表面１０ａには、画像Ｐと文字Ｃの双方が配されてもよい。この場合、骨壺本体１０の表面１０ａには、例えば、ペットの画像Ｐとともに当該ペットの名前を表した文字Ｃが配されてもよい。
【００４９】
なお、ペット以外のものが表された画像Ｐや、文字Ｃを有するペット用骨壺についても、上記したペットの写真画像Ｐ１を有するペット用骨壺１００の製造工程と同様の工程で製造される。すなわち、例えば、風景や、模様、記号などのペット以外のものが表された画像Ｐを有するペット用骨壺については、風景等の画像Ｐが印刷された転写シートを用いて、骨壺本体１０の表面１０ａに風景等の画像Ｐを転写させて製造される。また、文字Ｃを有するペット用骨壺についても、同様に、文字Ｃが印刷された転写シートを用いて骨壺本体１０の表面１０ａに文字Ｃを転写させる転写工程を経て製造される。
【００５０】
また、ペット用骨壺において骨壺本体１０の表面１０ａに配される画像Ｐとしては、ペットの写真画像Ｐ１のみに限定されず、例えば、写真画像Ｐ１に背景画像Ｐ３を付加したものであってもよい。さらに、骨壺本体１０の表面１０ａには、これら写真画像Ｐ１及び背景画像Ｐ３に加えて、文字Ｃが付加されてもよい。このような、骨壺本体１０の表面１０ａにおいて写真画像Ｐ１、文字Ｃ、及び背景画像Ｐ３を有する場合のペット用骨壺は、例えば、図５（ｂ）に示す転写シート３４０を用いて骨壺本体１０の表面１０ａに、写真画像Ｐ１、文字Ｃ、及び背景画像Ｐ３を同時に転写することにより製造されてもよい。転写シート３４０は、例えば、表面の中央部分において、ペットの写真画像Ｐ１が配され、その下方に当該ペットの名前として例えば「黄金丸」の文字Ｃが配され、さらに、例えば写真画像Ｐ１及び文字Ｃを囲むように、背景画像Ｐ３が配されている。これにより、骨壺本体１０の表面１０ａには、ペットの写真画像Ｐ１、そのペットの名前（文字）Ｃ、及び背景画像Ｐ３が、同時に転写される。なお、ペットの写真画像Ｐ１、その名前（文字）Ｃ、及び背景画像Ｐ３は、１枚の転写シートを用いて同時に転写されることに限定されず、例えば、ペットの写真画像Ｐ１、その名前（文字）Ｃ、及び背景画像Ｐ３のそれぞれが配置された３枚の転写シートが用意されて、これら３枚の転写シートを順に転写させていく工程により形成されてもよい。また、上記の場合において、背景画像Ｐ３としては、写真や絵の画像であってもよいし、この写真や絵の画像は、四季の背景や、モダン、シック、レトロ調のものであってもよい。
【００５１】
また、上記した転写工程の際に用いられる転写シート４０としては、裏面（転写する工程の際に、骨壺本体１０に密着する側の表面）において風景や模様などの画像Ｐ又は文字Ｃの鏡像が印刷されたものが用いられてもよい。また、転写シート４０としては、先ず、風景や模様などの画像Ｐ又は文字Ｃを印刷可能な紙製シートを用意し、次いで、この紙製シートの表面に、上記画像Ｐ又は文字Ｃを印刷し、転写液を塗布して乾燥させ、これを液体に浸して紙製シート（紙）を除去する工程により作製されたフィルム製シートが用いられてもよい。
【符号の説明】
【００５２】
１０・・・骨壺本体
１０ａ・・・骨壺本体の表面
２０・・・容器本体
２１・・・開口部
２２・・・容器本体の側面
４０，２４０，３４０・・・転写シート
４１・・・シート本体
１００・・・ペット用骨壺
Ｃ・・・文字
Ｐ・・・画像
【図１】
0003207579.tif 000003
【図２】
0003207579.tif 000004
【図３】
0003207579.tif 000005
【図４】
0003207579.tif 000006
【図５】
0003207579.tif 000007